(57)【要約】【課題】薄い石材やタイルを乾式で壁面に取り付けることができる薄型石材パネルを提供する。【解決手段】薄型石材パネルは、正面側が空き背面側に底孔を有する収容部、及び前記収容部の正面側の縁から前記収容部の外部に向かって延設されたフランジを有するインサート金具と、前記収容部の内部に収容され、背面側から前記収容部の底孔を貫通させたボルトを留めるためのナットと、前記フランジより小さく前記収容部が嵌合する嵌込孔を貫通させた下地板と、を有し、前記下地板は、正面側から前記インサート金具が嵌め込まれ、前記フランジの厚さで塗布した接着剤により正面側に仕上材が貼着される、ことを特徴とする。【選択図】図１
2019002194.tif 000002
【特許請求の範囲】
【請求項１】
正面側が空き背面側に底孔を有する収容部、及び前記収容部の正面側の縁から前記収容部の外部に向かって延設されたフランジを有するインサート金具と、
前記収容部の内部に収容され、背面側から前記収容部の底孔を貫通させたボルトを留めるためのナットと、
前記フランジより小さく前記収容部が嵌合する嵌込孔を貫通させた下地板と、を有し、
前記下地板は、正面側から前記インサート金具が嵌め込まれ、前記フランジの厚さで塗布した接着剤により正面側に仕上材が貼着される、
ことを特徴とする薄型石材パネル。
【請求項２】
前記フランジは、前記嵌込孔の深さが浅いほど大きく設けられる、
ことを特徴とする請求項１に記載の薄型石材パネル。
【請求項３】
前記下地板は、正面側からメッシュ材を挟むように前記インサート金具が嵌め込まれ、前記メッシュ材を介して前記フランジの厚さで塗布した接着剤により正面側に仕上材が貼着される、
ことを特徴とする請求項１又は２に記載の薄型石材パネル。
【請求項４】
前記ナットは、螺合された前記ボルトが緩まない構造を有する、
ことを特徴とする請求項１乃至３の何れか一に記載の薄型石材パネル。
【発明の詳細な説明】
【技術分野】
【０００１】
本発明は、薄い石材やタイルを乾式で壁面に取り付けるための薄型石材パネルに関する。
【背景技術】
【０００２】
建物の外壁には、仕上材又は装飾材として薄い石材やタイル等を貼着することがある。仕上材の貼着方法としては、モルタル等を使用して壁面に仕上材を直接貼り付ける湿式工法と、金具等を介して仕上材を壁面へ間接的に取り付ける乾式工法とがある。湿式工法の場合、職人の技量により品質に差が出る上、乾燥に時間が掛かることから、一定の品質が確保でき、工期も短縮できる乾式工法に移行しつつある。
【０００３】
ただ、非常に薄いシート状の石材に関しては、直接貼り付けたり、目立たないように釘などで留めたりしている。特許文献１に記載されているように、天然石を表面に張り合わせたような自然調の美しい模様面を持った壁面を構成する発明も開示されている。
【先行技術文献】
【特許文献】
【０００４】
【特許文献１】特開２０００−１７０３５４号公報
【発明の概要】
【発明が解決しようとする課題】
【０００５】
しかしながら、特許文献１に記載の壁面は、外壁として使用するＡＬＣパネル等の軽量気泡コンクリートの表面を加工して自然調の美しい凹凸模様にしたものであり、実際に天然石などを使用するものではない。そのため、天然石などを使用した自然調の美しい模様面を持った薄型石材を乾式工法で取り付けたいというニーズも増えている。
【０００６】
そこで、本発明は、薄い石材やタイルを乾式で壁面に取り付けることができる薄型石材パネルを提供することを目的とする。
【課題を解決するための手段】
【０００７】
上記の課題を解決するために、本発明である薄型石材パネルは、正面側が空き背面側に底孔を有する収容部、及び前記収容部の正面側の縁から前記収容部の外部に向かって延設されたフランジを有するインサート金具と、前記収容部の内部に収容され、背面側から前記収容部の底孔を貫通させたボルトを留めるためのナットと、前記フランジより小さく前記収容部が嵌合する嵌込孔を貫通させた下地板と、を有し、前記下地板は、正面側から前記インサート金具が嵌め込まれ、前記フランジの厚さで塗布した接着剤により正面側に仕上材が貼着される、ことを特徴とする。
【０００８】
また、前記薄型石材パネルにおいて、前記フランジは、前記嵌込孔の深さが浅いほど大きく設けられる、ことを特徴とする。
【０００９】
また、前記薄型石材パネルにおいて、前記下地板は、正面側からメッシュ材を挟むように前記インサート金具が嵌め込まれ、前記メッシュ材を介して前記フランジの厚さで塗布した接着剤により正面側に仕上材が貼着される、ことを特徴とする。
【００１０】
また、前記薄型石材パネルにおいて、前記ナットは、螺合された前記ボルトが緩まない構造を有する、ことを特徴とする。
【発明の効果】
【００１１】
本発明によれば、薄い石材やタイルをパネル状にすることにより、乾式で壁面に取り付けることができる。天然石などを使用した自然調の美しい模様面を持った仕上材を用いて、容易に一定の品質のものを短期間で施工することができる。
【図面の簡単な説明】
【００１２】
【図１】本発明である薄型石材パネルを取り付けた外壁を側面から見た縦断面図である。
【図２】本発明である薄型石材パネルを側面から見た縦断面図である。
【図３】本発明である薄型石材パネルを分解した状態を示す縦断面図である。
【図４】本発明である薄型石材パネルで使用するインサート金具の正面図である。
【図５】本発明である薄型石材パネルの耐久性について説明する縦断面図である。
【図６】本発明である薄型石材パネルの強度を向上させた例を示す縦断面図である。
【発明を実施するための形態】
【００１３】
以下に、本発明の実施形態について図面を参照して詳細に説明する。同一機能を有するものは同一符号を付け、その繰り返しの説明は省略する場合がある。
【実施例１】
【００１４】
まず、本発明である薄型石材パネルの構造について説明する。図１は、薄型石材パネルを取り付けた外壁を側面から見た縦断面図である。図２は、薄型石材パネルを側面から見た縦断面図である。図３は、薄型石材パネルを分解した状態を示す縦断面図である。図４は、薄型石材パネルで使用するインサート金具の正面図である。なお、縦断面図において、図の左側が正面側（前側、表側）であり、図の右側が背面側（後側、裏側）である。
【００１５】
図１に示すように、本実施例における外壁１００は、建物等の外側に面した壁面１１０に対して、薄い石材やタイルを所定の大きさのパネル状にした薄型石材パネル２００を乾式工法により取り付けたものである。壁面１１０に薄型石材パネル２００をモルタル等で直接貼り付けるのではなく、アンカーやネジ等を含む取付金具１２０を介して間接的に取り付ければ良い。
【００１６】
壁面１１０は、ＲＣ造（鉄筋コンクリート構造）のものでも良いし、ＡＬＣ（高温高圧蒸気養生された軽量気泡コンクリート）パネルやＥＣＰ（押出成形セメント板）パネルを並べ繋げたもの等、壁状に形成されたものであれば良い。
【００１７】
取付金具１２０の例としては、壁面１１０に対して固定する後片と、薄型石材パネル２００に対して固定する前片と、後片と前片とを繋ぐ連結片とからなる構造とし、連結片により壁面１１０と薄型石材パネル２００の間に間隙１４０を確保する。なお、間隙１４０には部分的に弾性接着剤などを注入して、壁面１１０と取付金具１２０と薄型石材パネル２００とをそれぞれ固着させても良い。
【００１８】
取付金具１２０を使用する場合は、後片を壁面１１０にネジ留めし、前片を薄型石材パネル２００のインサート金具３００に小ネジやボルト１３０等を使用してネジ留めすれば良い。また、壁面１１０からアンカーボルトを表側に向かって延ばし、インサート金具３００に螺合させるようにしても良い。
【００１９】
図２に示すように、薄型石材パネル２００は、下地板２１０にインサート金具３００を埋め込んだ上で、薄い石材やタイルなどを仕上材２２０として、下地板２１０の表面に接着剤２３０等を使用して貼り付けたものである。
【００２０】
下地板２１０は、取付金具１２０に薄い仕上材２２０を直接固定することは困難であるため、取付金具１２０に固定するためのインサート金具３００を埋設するとともに、仕上材２２０を取り付けるための基板として使用する。下地板２１０としては、耐食性及び耐熱性に優れたマグネシアセメント板などを使用すれば良い。
【００２１】
図３に示すように、インサート金具３００は、横向きの円筒状の容器で内部にナット３１０を収容可能な収容部３３０、及び収容部３３０の側周面における前端の縁から外方に向かって直角に折れ曲がるように延設されたフランジ３２０等を有する。なお、収容部３３０は、前面（正面側）が空いた状態であり、後面（背面側）に底があるが、中央にボルト１３０が貫通可能な径を有する底孔３４０が空く。
【００２２】
下地板２１０には、任意の位置に嵌込孔２４０が空けられる。嵌込孔２４０は、インサート金具３００の収容部３３０の周径に合わせて貫通させれば良い。また、取付金具１２０が配置される場所に合わせて空ければ良い。なお、嵌込孔２４０は、インサート金具３００のフランジ３２０まで貫通しないように、フランジ３２０よりも小さい径にする。フランジ３２０によりインサート金具３００が背面側に抜けることを防止する。
【００２３】
下地板２１０の嵌込孔２４０に、前側からインサート金具３００の収容部３３０を嵌合させると、下地板２１０の背面と収容部３３０の底面とが連になり、下地板２１０の表面とフランジ３２０とが接する。なお、下地板２１０の背面に対し、収容部３３０の底面が凹んだり、突出したりしても、取付金具１２０と接続できれば問題はない。
【００２４】
図４に示すように、フランジ３２０に複数の留穴３５０を空けておき、留穴３５０から下地板２１０にネジ等の留具で固定しても良い。下地板２１０に埋設された収容部３３０には、前側からナット３１０を収容しておく。収容部３３０は、ナット３１０が収容される径以上の大きさであれば良いが、ナット３１０は着脱及び回転可能に収容しても良いし、ナット３１０が回転しないように保持しても良い。
【００２５】
ナット３１０は、インサート金具３００と取付金具１２０にボルト１３０を通して締結することにより、インサート金具３００を取付金具１２０に固着させるために使用する。ボルト１３０は、インサート金具３００の底孔３４０と螺合させても良いし、単に底孔３４０を貫通するだけでも良い。ナット３１０は、六角ナット等を使用すれば良いが、ボルト１３０を螺合させたときに、締付けが緩まない構造を有する緩み止めナットを用いても良い。
【００２６】
インサート金具３００を装着した下地板２１０の前面に接着剤２３０を用いて仕上材２２０が貼着されるが、インサート金具３００のフランジ３２０の厚さで下地板２１０に接着剤２３０を塗布すれば、フランジ３２０の位置で盛り上がることもない。なお、フランジ３２０が厚い場合は、下地板２１０にフランジ３２０が収まるように溝などを設けても良い。
【００２７】
仕上材２２０は、表面はデザインを重視した状態で良いが、裏面は下地板２１０に貼着しやすい状態にする。なお、壁面１１０に直接貼り付けることが難しい仕上材２２０でも、薄型石材パネル２００にすることで容易に取り付けることが可能となる。
【００２８】
図５は、薄型石材パネルの耐久性について説明する縦断面図である。図５に示すように、薄型石材パネル２００は、インサート金具３００が壁面１１０から出たボルト１３０に固着されているので、外側（壁面１１０と反対側）へ引っ張るような荷重２５０が掛かると、仕上材２２０が剥がれ、破壊部２６０を残して下地板２１０が崩れる可能性がある。
【００２９】
下地板２１０において、破壊部２６０をインサート金具３００のフランジ３２０の先端から斜め４５度外方へ拡がる範囲の内側としたとき、破壊部２６０が大きくなるほど下地板２１０の耐久性は向上する。下地板２１０が厚いほど破壊部２６０も大きくなり、また、フランジ３２０が大きく（広く）なるほど破壊部２６０も大きくなる。すなわち、下地板２１０が薄く、嵌込孔２４０の深さが浅いほど、フランジ３２０を大きくすれば良い。なお、フランジ３２０が下地板２１０の内部に埋設されるような場合も同様である。
【００３０】
図６は、薄型石材パネルの強度を向上させた例を示す縦断面図である。図６に示すように、網状のメッシュ材２７０を用いて薄型石材パネル２００の強度を向上させても良い。下地板２１０の表面に、インサート金具３００のフランジ３２０と挟まるようにメッシュ材２７０を設ける。その上で接着材２３０を用いて仕上材２２０を貼着すれば、接着材２３０がメッシュ材２７０に絡むことで、接着力も向上する。
【００３１】
このように、薄い石材やタイルをパネル状にすることにより、乾式で壁面に取り付けることができる。天然石などを使用した自然調の美しい模様面を持った仕上材を用いて、容易に一定の品質のものを短期間で施工することができる。
【００３２】
以上、本発明の実施例を述べたが、これらに限定されるものではない。
【符号の説明】
【００３３】
１００：外壁
１１０：壁面
１２０：取付金具
１３０：ボルト
１４０：間隙
２００：薄型石材パネル
２１０：下地板
２２０：仕上材
２３０：接着剤
２４０：嵌込孔
２５０：荷重
２６０：破壊部
２７０：メッシュ材
３００：インサート金具
３１０：ナット
３２０：フランジ
３３０：収容部
３４０：底孔
３５０：留穴
【図１】
2019002194.tif 000003
【図２】
2019002194.tif 000004
【図３】
2019002194.tif 000005
【図４】
2019002194.tif 000006
【図５】
2019002194.tif 000007
【図６】
2019002194.tif 000008